(57)【要約】【課題】展開式着脱ポケットについて、体側に装着した状態で収納した携帯電子機器を取り出さずに容易に操作できるようにする。【解決手段】衣服側への着脱手段としてカラビナ７ａを上端側に有した扁平袋状部材からなる第１の収納体２と第１の収納体３下端側に上端側を接続して連設された扁平袋状部材からなる第２の収納体３とを備えており、第２の収納体３内側面下端側を第１の収納体２内側面上端側に重ねた状態で係止する面状ファスナ２３，３３を有して、係止状態を解除することで第２の収納体３が展開可能な展開式着脱ポケット１Ａにおいて、第２の収納体３に携帯電子機器を保持するためのポケット３５が付設されて携帯電子機器の操作部又は／及びディスプレイを透明軟質樹脂シート３５ａで覆った状態で保持し、第２の収納体３を展開した状態で透明軟質樹脂シート３５ａの上から操作又は／及びディスプレイ表示の視認を行えるものとした。【選択図】図１
2011234944.tif 000002
【特許請求の範囲】
【請求項１】
衣服側への着脱手段を上端側に有するとともに開閉可能な出し入れ口を有した扁平袋状部材からなる第１の収納体と、該第１の収納体の下端側に上端側を接続して連設され開閉可能な出し入れ口を有した扁平袋状部材からなる第２の収納体とを備えており、前記第２の収納体の内側面下端側を前記第１の収納体の内側面上端側に重ねた折り畳み状態で係止する係止手段を有し、該係止手段による係止状態を解除することで前記第２の収納体が展開可能となる展開式着脱ポケットにおいて、
前記第２の収納体には携帯電子機器を保持するための保持手段が付設されており、該保持手段は前記携帯電子機器の操作部又は／及びディスプレイを透明軟質樹脂シートで覆った状態で前記携帯電子機器を保持するものとされ、前記第２の収納体を展開した状態で使用者が前記透明軟質樹脂シートの上から前記操作部の操作又は／及びディスプレイ表示の視認を行える、ことを特徴とする展開式着脱ポケット。
【請求項２】
前記保持手段は、前記透明軟質樹脂シートを一端が開口し他端が閉鎖された封筒状に形成してその開口側又は閉鎖側を前記第２の収納体の内側面下部に接続してなるものであって、先端側を前記第２の収納体の内側面上部に重ねた状態から下方向に展開可能とされている、ことを特徴とする請求項１に記載した展開式着脱ポケット。
【請求項３】
前記第２の収納体には、その外側面から下方向に舌状に開いて展開する携帯電子機器を保持するための他の保持手段が付設されており、該他の保持手段は展開した状態で正面を向く内側面に前記携帯電子機器の少なくとも正面側を覆って保持する透明軟質樹脂シートを有している、ことを特徴とする請求項１または２に記載した展開式着脱ポケット。
【請求項４】
前記着脱手段は、フック状取付け金具又はベルト通し孔又は一組の分離式ファスナの一方である、ことを特徴とする請求項１，２または３に記載した展開式着脱ポケット。
【請求項５】
前記係止手段は、一対の面状ファスナ又は対向する面側が互いに極性の異なる一対の磁石である、ことを特徴とする請求項１，２，３または４に記載した展開式着脱ポケット。
【発明の詳細な説明】
【技術分野】
【０００１】
本発明は、ズボンやジャケットなどの衣服に着脱自在に設けることのできる展開式着脱ポケットに関し、殊に、複数の収納体が展開式になっているとともに収納した携帯電子機器を取り出さずに操作できる展開式着脱ポケットに関する。  
【背景技術】
【０００２】
近年、携帯電話器、携帯音楽プレイヤー、モバイルパソコン、ＰＤＡ（携帯情報端末）、スマートフォン（ＰＤＡ機能を有した高機能携帯電話器）、ＩＣカード等、コンパクトで携帯性に優れた携帯電子機器が広く普及しており、これらの１つ又は複数を携帯して外出するのが一般的になっている。また、これらの携帯電子機器を携帯する場合には、ハンドバッグやポーチに入れて手に持つことのほか、ズボンのポケットにそのまま入れたりズボンに取付けたポシェットやシザーバッグ内に財布やカギ等と一緒に収納したりして、両手をフリーな状態にしておくことが多い。
【０００３】
また、例えば実登第３０３９０１１号公報に記載されているように、ファスナ開閉式の複数のポケット（収納体）を縦方向に連設してポケットとポケットの間を折り畳み部としながら上端側に面状ファスナ等による着脱手段を備えて、これら複数のポケットを開いた状態にして着脱手段でジャケット等の衣服に取り付ける方式の展開式着脱ポケットも知られており、これを用いて携帯電子機器を含む複数の小物を一つに纏め、小さく折り畳んだ手持ちの状態とポケットを展開して衣服に取り付けた状態の両方で使用可能としている。
【０００４】
しかし、このように携帯電子機器をポケットに入れたり体側に装着したバッグや着脱ポケットに収納したりした場合、携帯電子機器の操作を行う際にはこれを一旦取り出さないと操作できないという問題がある。特に、車内でシートベルトを装着している場合には、これらを取り出すのが極めて困難な状態となる。
【０００５】
これに対し、例えば実登第３０８７０４３号公報には、携帯電話器の操作部を収納した部分の正面側が透明軟質樹脂シートで構成されて、ケース内に収納したまま透明軟質樹脂シートの上から操作可能とした携帯電話器用ケースが提案されており、また特開２００２―５１８２０号公報には、透明軟質樹脂シートからなる袋状収納部の開口部分を密封自在として、内部に携帯電話器を収納したままボタン操作を可能とした携帯電話器用ケースも提案されている。
【０００６】
しかしながら、これらの携帯電話器用ケースをベルトやベルト通しを介してウエストに装着している場合、これに収納した携帯電話器は体に近い位置となるため、その状態では各種操作を行うのに困難な体勢となってしまう。また、携帯音楽プレイヤーやスマートフォンを収納したままの状態でタッチパネルを操作可能としてズボンに取り付ける方式の収納ケースも普及しているが、この場合も機器の操作部が体に近すぎて操作が困難である。
【０００７】
さらに、非接触読取式ＩＣカードや電子財布等の非接触データ交換機能を有した携帯電話器の場合、読み取り機（データ交換手段）にある程度近づけてデータ交換操作を行うことが必要になるところ、体の一部に固定された収納ケースに入れたままでは読み取り機に近づけにくいことから、データのやりとりが困難となりやすい。
【先行技術文献】
【特許文献】
【０００８】
【特許文献１】実登第３０３９０１１号公報
【特許文献２】実登第３０８７０４３号公報
【特許文献３】特開２００２―５１８２０号公報
【発明の概要】
【発明が解決しようとする課題】
【０００９】
本発明は、上記のような問題を解決しようとするものであり、展開式着脱ポケットについて、体側に装着した状態で収納した携帯電子機器を取り出さずに容易に操作できるようにすることを課題とする。
【課題を解決するための手段】
【００１０】
そこで、本発明は、衣服側への着脱手段を上端側に有するとともに開閉可能な出し入れ口を有した扁平袋状部材からなる第１の収納体と、この第１の収納体の下端側に上端側を接続して連設され開閉可能な出し入れ口を有した扁平袋状部材からなる第２の収納体とを備えており、第２の収納体の内側面下端側を第１の収納体の内側面上端側に重ねた折り畳み状態で係止する係止手段を有して、その係止状態を解除することで第２の収納体が展開可能となる展開式着脱ポケットにおいて、その第２の収納体には携帯電子機器を保持するための保持手段が付設されており、その保持手段は携帯電子機器の操作部又は／及びディスプレイを透明軟質樹脂シートで覆った状態で携帯電子機器を保持するものとされ、第２の収納体を展開した状態で使用者が透明軟質樹脂シートの上から操作部の操作又は／及びディスプレイ表示の視認を行える、ことを特徴とするものとした。
【００１１】
このように、第１の収納体に第２の収納体を重ねて折り畳めるとともに折り畳み状態から展開可能として、第２の収納体に付設した透明軟質樹脂シートで携帯電子機器を保持するとともに、透明軟質樹脂シートの上から操作やディスプレイ表示の視認を行えるものとしたことにより、これを体側に装着した状態で第２の収納体を展開するだけで、収納した携帯電子機器を体から適度な距離に離しながら携帯電子機器を取り出さずに自然な姿勢で各種操作を行えるものとなる。
【００１２】
また、この場合、その保持手段は、透明軟質樹脂シートを一端が開口し他端が閉鎖された封筒状に形成してその開口側又は閉鎖側を第２の収納体の内側面下部に接続してなるものであって、その先端側を第２の収納体の内側面上部に重ねた状態から下方向に展開可能とされている、ことを特徴としたものとすれば、コンパクトに折り畳んで体側に装着した状態から第２の収納体を展開できることに加え、携帯電子機器を保持した保持手段を第２の収納体からさらに展開可能として３段階の展開を実現するため、携帯電子機器を体からさらに離した位置にして操作を一層容易にするとともにデータ交換手段に一層近接させやすいものとなる。
【００１３】
さらに、上述した展開式着脱ポケットにおいて、その第２の収納体には、その外側面から下方向に舌状に開いて展開する携帯電子機器を保持するための他の保持手段が付設されており、この他の保持手段は展開した状態で正面を向く内側面に携帯電子機器の少なくとも正面側を覆って保持する透明軟質樹脂シートを有していることを特徴としたものとすれば、第２の収納体を第１の収納体に重ねた折り畳み状態のままでも携帯電子機器の操作が行えるものとなる。
【００１４】
さらにまた、上述した展開式着脱ポケットにおいて、その第１の収納体の衣服側への着脱手段は、フック状取付け金具又はベルト通し孔又は一組の分離式ファスナの一方であるものとすれば、ベルトやベルト通しを介して簡易にズボンのウエスト部に取り付けたり、ズボンやジャケットの一部に設けた分離式ファスナの他方に係合させて取り付けたりすることが可能となって着脱作業が容易なものとなる。
【００１５】
加えて、上述した展開式着脱ポケットにおいて、その第１の収納体と第２の収納体とを係止する係止手段は、一対の面状ファスナ又は対向する面側が互いに極性の異なる一対の磁石であることを特徴としたものとすれば、片手でも２つの収納体の展開を容易に行えるものとなる。
【発明の効果】
【００１６】
第１の収納体から第２の収納体を展開可能としたことに加え、第２の収納体で透明軟質樹脂シートの上から携帯電子機器の操作やディスプレイ表示の視認を行えるものとした本発明によると、体に装着した状態で携帯電子機器を取り出さずに容易に操作できるものである。
【図面の簡単な説明】
【００１７】
【図１】（Ａ）は本発明における第１の実施の形態である展開式着脱ポケットを折り畳んだ状態の正面図、（Ｂ）は（Ａ）の展開式着脱ポケットの右側面図、（Ｃ）は（Ａ）の展開式着脱ポケットを展開した状態の正面図である。
【図２】（Ａ）は図１（Ｃ）の展開式着脱ポケットの保持手段に非接触読取式ＩＣカードを収納した状態を示す正面図、（Ｂ）は携帯音楽プレイヤーを収納した状態を示す正面図、（Ｃ）はスマートフォンを収納した状態を示す正面図である。
【図３】（Ａ）は図１（Ａ）の展開式着脱ポケットをズボンに装着した状態を示す正面図、（Ｂ）は（Ａ）の状態から展開式着脱ポケットを展開して着座姿勢で携帯電子機器を操作する場合の一例を示す側面図、（Ｃ）は（Ｂ）の状態から起立姿勢で携帯電子機器を操作する場合の一例を示す右側面図である。
【図４】（Ａ）は本発明における第２の実施の形態の展開式着脱ポケットを折り畳んだ状態を示す正面図、（Ｂ）は（Ａ）の展開式着脱ポケットの第２の収納体を展開した状態を示す正面図、（Ｃ）は（Ｂ）の状態から保持手段を展開した状態を示す正面図である。
【図５】（Ａ）は図４（Ｃ）の展開式着脱ポケットの保持手段に携帯音楽プレイヤーを収納した状態を示す正面図、（Ｂ）はスマートフォンを収納した状態を示す正面図、（Ｃ）は非接触読取式ＩＣカードを収納した状態を示す正面図である。
【図６】（Ａ）は図４（Ｂ）の展開式着脱ポケットの保持手段に折り畳み式の携帯電話器を収納した状態を示す正面図、（Ｂ）は（Ａ）の展開式着脱ポケットの右側面図、（Ｃ）は（Ａ）の状態から折り畳み式の携帯電話器を開いて保持手段を展開した状態を示す正面図である。
【図７】（Ａ）は図４（Ａ）の展開式着脱ポケットの応用例の折り畳んだ状態を示す正面図、（Ｂ）は（Ａ）の展開式着脱ポケットにおける他の保持手段を展開した状態を示す正面図、（Ｃ）は（Ａ）の状態から第２の収納体を展開するとともに保持手段を展開した状態を示す正面図である。
【図８】（Ａ）は図４（Ａ）の展開式着脱ポケットの他の応用例を折り畳んだ状態を示す正面図、（Ｂ）は（Ａ）の展開式着脱ポケットの右側面図、（Ｃ）は（Ａ）の状態から第２の収納体を展開するとともに保持手段を展開した状態を示す正面図である。
【図９】（Ａ）は図４（Ａ）の展開式着脱ポケットの着脱手段を異なる着脱手段に変更した場合の正面図、（Ｂ）は（Ａ）の展開式着脱ポケットをズボンに取り付けた状態を示す正面図、（Ｃ）は（Ａ）の展開式着脱ポケットをジャケットに取り付けた状態を示す正面図である。
【図１０】（Ａ）は図９（Ｂ）の展開式着脱ポケットを展開させて携帯電話器で通話をしている状態を示す右側面図、（Ｂ）は図９（Ａ）の着脱手段を図８（Ａ）の展開式着脱ポケットに適用しズボンに取り付けてから展開させ携帯電話器で通話をしている状態を示す側面図である。
【発明を実施するための形態】
【００１８】
以下に、図面を参照しながら本発明を実施するための形態を説明する。
【００１９】
図１乃至図３は、本発明における第１の実施の形態の展開式着脱ポケット１Ａを示しており、図１（Ａ）は展開式着脱ポケット１Ａを折り畳んだ状態の正面図であり、（Ｂ）はその右側面図であり、（Ｃ）は（Ａ）の状態から展開した状態を示す正面図である。本実施の形態の展開式着脱ポケット１Ａは、比較的堅牢な布材を袋状に縫い合わせて内側に収納部を形成してなる収納体（ポケット）を、ズボンのベルト通しやベルト等に着脱手段で取り付けて体に装着して使用するものであって、市販のシザーバッグやウエストポーチ等と同様に外出時に携帯すべき小物類を収納するためのものである。
【００２０】
図１（Ｃ）の展開状態の正面図を参照して、この展開式着脱ポケット１Ａは、衣服側への着脱手段であるカラビナ７ａを上端側に有するとともにファスナ式に開閉可能な出し入れ口２１，２２を幅狭の側面と正面に有した扁平袋状部材からなる第１の収納体２と、この第１の収納体２の下端側に上端側を接続して連設されファスナ式に開閉可能な出し入れ口３１を幅狭の側面に有した扁平袋状部材からなる第２の収納体３を備えている。
【００２１】
また、図１（Ａ）に示すように、この第１の収納体２の下端側に第２の収納体３の上端側を接続している部分である折り曲げ部６を屈曲させ、第２の収納体３の内側面下端側を第１の収納体２内側面上端側に重ねて、互いの内側面（図１（Ｃ）における正面側）が接する折り畳み状態にして、係止手段である一対の面状ファスナ２３，３３で係止・固定できるようになっており、その掛止状態を解除することで第２の収納体３を下方向に開いて図１（Ｃ）の状態に展開可能となっており、以上の構成は従来例の展開式着脱ポケットにも見られる周知のものである。
【００２２】
そして、本発明においては、第２の収納体３に携帯電子機器の保持手段としてのポケット３５が設けられており、このポケット３５は方形状の透明軟質樹脂シート３５ａの上辺を除く３辺をファスナ３５ｂで第２の収納体３内側面に係合可能な状態で付設されており、携帯電子機器の操作部やディスプレイ面を透明軟質樹脂シート３５ａで覆った状態でこれを保持しながら開閉可能とされており、第２の収納体３を展開することにより、使用者がその透明軟質樹脂シート３５ａの上から操作部のボタン操作やディスプレイ表示内容の視認を行えるようになっており、この点が特徴部分となっている。
【００２３】
したがって、図２（Ａ），（Ｂ），（Ｃ）に示すように、展開式着脱ポケット１Ａのポケット３５に、例えば非接触読取式のＩＣカード１００、携帯音楽プレイヤー１１０、スマートフォン１２０、或いは図示しない携帯電話器等の携帯電子機器を収納・保持した場合に、第２の収納体３を展開することにより、体側への着脱手段であるカラビナ７ａからこれらの携帯電子機器をある程度離した位置にして操作できるようになる。
【００２４】
即ち、図３（Ａ）に示すように、ポケット３５に携帯電子機器を収納・保持した状態で展開式着脱ポケット１Ａをズボン８０の前側のベルト通し８１にカラビナ７ａで取付けた場合、第２の収納体３を展開することにより、携帯電子機器を体からある程度離れた位置にして操作を行うことができるため、図３（Ｂ）に示すように着座姿勢で携帯電子機器をひざの上に置いたり、図３（Ｃ）に示すように起立姿勢で携帯電子機器を胸の前方に位置させたりして、携帯電子機器を取り出すことなく透明軟質樹脂シート３５ａを介して操作部の操作やディスプレイ画面の視認が容易に行えるようになる。
【００２５】
一方、非接触読取式のＩＣカード１００等のデータ交換機能を備えた携帯電子機器を保持した場合は、第２の収納体３を展開して延びた分だけ、これを読み取り機に近接させやすくなる利点がある。尚、携帯電話器をポケット３５に入れて保持する場合、バー状のものはそのまま入れ、スライド式のものはスライドした状態で入れておけばよい。また、ハンズフリーヘッドフォンマイク等を用いることで、ポケット３５に入れたままでも会話を行えるようになる。
【００２６】
図４乃至図６は、本発明における第２の実施の形態である展開式着脱ポケット１Ｂを示しており、本実施の形態では保持手段としてポケット３５の代わりに、透明軟質樹脂シートを一端が開口し多端が閉鎖された封筒状に形成してなるポケット４５を設けた点を特徴としている。図４（Ｃ）の展開状態の正面図を参照して、その基本構成は図１の展開式着脱ポケット１Ａと共通しているが、そのポケット３５の代わりに透明軟質樹脂シートを方形の封筒状に形成したポケット４５の開口部のある基端側を、第２の収納体４の内側面下端側に先端側が開閉可能な状態で設けたことにより、これを含めて三段階に展開できるようにした点を特徴としている。
【００２７】
即ち、折り畳んだ図４（Ａ）の状態から（Ｂ）のポケット４５の内側面先端側を第２の収納体４内側面上部側に重ねた状態で第２の収納体４を展開し、さらにこれから（Ｃ）のようにポケット４５を下方向に展開可能となっており、図３（Ｂ）の携帯電子機器を体からある程度離した状態からさらに遠くまで離すことを可能としたものである。
【００２８】
したがって、例えば図５（Ａ）に示す携帯音楽プレイヤー１１０の操作や、（Ｂ）に示すスマートフォン１２０の操作等において、そのディスプレイ画面や操作部を前述の展開式着脱ポケット１Ａの場合よりも顔に近い位置で操作できるようになる。また、図５（Ｃ）に示す非接触読取式ＩＣカード１００の場合も、これを保持した部分が余分に延びることで展開式着脱ポケット１Ａと比べて読み取り機に一層近接させやすいものとなる。
【００２９】
一方、図６は展開式着脱ポケット１Ｂのポケット４５に、折り畳み式の携帯電話器１３０を保持した場合を示しており、前述した展開式着脱ポケット１Ａではそのポケット３５に折り畳み式の携帯電話器１３０を収納・保持した場合に、その操作やディスプレイ表示画面の視認を行う際には、これを一旦取り出す必要があった。
【００３０】
これに対し、本実施の形態の展開式着脱ポケット１Ｂでは、携帯電話器１３０のディスプレイ部１３２をポケット４５に挿入した状態で本体部１３１の底面側を第２の収納体４の内側面に密着させる配置で保持することで、図６（Ａ），（Ｂ）に示すような状態で携帯電話器１３０を保持することができ、この状態から図６（Ｃ）に示すようにディスプレイ部１３２を展開することもできる。これにより、透明軟質樹脂シート製のポケット４５内に保持したディスプレイ部１３２の表示画面を視認しながら、図３（Ｂ）と同様の体勢にて本体部１３１を操作することが可能となる。
【００３１】
図７は、前述した第２の実施の形態の展開式着脱ポケット１Ｂの応用例としての展開式着脱ポケット１Ｃを示すものであり、第２の収納体５の外側面に、他の保持手段としてのポケット５５を設けて、第２の収納体５を展開しない状態で携帯電子機器を収納・保持しているポケット５５を展開してそのまま操作できるようにした点を特徴としている。
【００３２】
即ち、第２の収納体５にはその外側面から下方向に舌状に開いて展開する方形状のポケット５５が付設されてこれに携帯電子機器を収納・保持できるようになっており、そのポケット５５は展開した状態で上端側に開口部を有するように設けられた透明軟質樹脂シート５５ａで携帯電子機器の正面側を覆いながら正面を向くようになっており、簡易な手順でこのポケット５５のみを展開して保持している携帯電子機器の各種操作を行えるようになっている。
【００３３】
また、このポケット５５は、方形の下辺側を残して他の３辺がファスナ５５ｂで開閉可能とされて舌状に展開・閉止できるようになっているが、ファスナ５５ｂの代わりに面状ファスナやホックを用いてもよい。さらに、このポケット５５は、図１の展開式着脱ポケット１Ａに付設した場合でも同様に利便性の向上したものとなる。
【００３４】
図８は、前述した第２の実施の形態の展開式着脱ポケット１Ｂの他の応用例としての展開式着脱ポケット１Ｄを示すものであり、展開式着脱ポケット１Ｂで第２の収納体４に開口側を接続したポケット４５の代わりに、第２の収納体４に閉鎖側を接続してなる透明軟質樹脂シート製のポケット６５を設けたものである。図８（Ａ）はそのポケット６５に携帯電話器１３０の本体部１３１を挿入・保持し、ディスプレイ部１３２を下にして折り畳んだ状態を示しており、（Ｂ）はその右側面図を示している。
【００３５】
そして、図８（Ａ）の状態からポケット６５を展開するとともに携帯電話器１３０のディスプレイ部１３２を開くと図８（Ｂ）の状態になる。即ち、ポケット６５の閉鎖側を接続して基端とし開口側を先端にして展開可能としたことで、携帯電話機１３０は図６（Ｃ）の状態よりも着脱手段からさらに遠くに位置することになるため、より自然な姿勢で操作を行えるようになる。
【００３６】
図９（Ａ）は、図４（Ａ）の展開式着脱ポケット１Ｂの着脱手段であるカラビナ７ａを異なる着脱手段である一組の分離式ファスナ７ｂ，８ｂの一方に変更した応用例としての展開式着脱ポケット１Ｅを示している。この展開式着脱ポケット１Ｅは、図９（Ｂ）に示すように他方の分離式ファスナ８ｂをベルトラインに沿って設けたズボン８５に簡易な手順で取り付けることができ、また、図９（Ｃ）に示すように他方の分離式ファスナ８ｂを左右の腹部側のいずれかに設けたジャケット９０に簡易な手順で取り付けることができる。
【００３７】
図１０（Ａ）は、図９（Ｃ）のジャケット９０に取り付けた展開式着脱ポケット１Ｅを展開させ、ポケット４５で保持した携帯電話器１３０を用いて通話をしている状態を示しており、図１０（Ｂ）は展開式着脱ポケット１Ｅのポケット４５を基端側が閉鎖し先端側が開口したポケット６５に変更してなる展開式着脱ポケット１Ｆを展開させて、保持した携帯電話器１３０を用いて通話している状態を示している。
【００３８】
図示のように、展開式着脱ポケット１Ｅを使用することで基端側をジャケット９０の腹部に取り付けた状態でも携帯電話器１３０を取り出すことなく無理のない姿勢で通話することができる。また、これよりもさらに携帯電話器１３０を遠くに離すことのできる展開式着脱ポケット１Ｆでは、基端側をズボン８５のウエスト側に取り付けた状態でも携帯電話器１３０を取り出すことなく無理のない姿勢で通話できるものとなる。さらに、図示は省略するが展開式着脱ポケット１Ｅの本体又は着脱手段を上下に延長したものでは、ズボン８５に取り付けた状態でも背筋を伸ばした姿勢で通話することができる。
【００３９】
尚、上述した着脱手段にカラビナ７ａを使用した実施の形態においても、着脱手段はこれに限定されるものではなく、例えばベルト通し用の孔や他のフック状取付け金具を設けてもよく、或いは前述のように一組の分離式ファスナの一方として衣服側の他方の分離式ファスナに係合するものであってもよい。さらに、本発明の展開式着脱ポケットはズボンやジャケットに取り付けることに限定されず、他の衣類に取り付けるものとしても同様の効果を発揮するものである。
【００４０】
以上、述べたように、展開式着脱ポケットについて、本発明により、体に装着した状態で収納した携帯電子機器を取り出さずに容易に操作できるようになった。
【符号の説明】
【００４１】
１Ａ，１Ｂ，１Ｃ，１Ｄ，１Ｅ，１Ｆ  展開式着脱ポケット、２  第１の収納体、３，４，５  第２の収納体、７ａ  カラビナ、７ｂ，８ｂ  分離式ファスナ、２３，３３  面状ファスナ、２１，２２，３１  出し入れ口、３５，４５，５５，６５  ポケット、３５ａ，５５ａ  透明軟質樹脂シート、３５ｂ，５５ｂ  ファスナ、８０，８５  ズボン、９０  ジャケット、１００  非接触読取式ＩＣカード、１１０  携帯音楽プレイヤー、１２０  スマートフォン、１３０  携帯電話器
【図１】
2011234944.tif 000003
【図２】
2011234944.tif 000004
【図３】
2011234944.tif 000005
【図４】
2011234944.tif 000006
【図５】
2011234944.tif 000007
【図６】
2011234944.tif 000008
【図７】
2011234944.tif 000009
【図８】
2011234944.tif 000010
【図９】
2011234944.tif 000011
【図１０】
2011234944.tif 000012